(57)【要約】  【課題】通常の符号器ホイルの不備に対処する符号器ホイルおよび製造法を提供する。  【解決手段】金属パイプを供給し、フェライト含有材料を金属パイプ上に押出して符号器パイプを製造し，符号器パイプを所与の長さに切断して符号器を形成し、磁界内で符号器を磁化する。  【選択図】図３
2006017709.tif 000002
【特許請求の範囲】
【請求項１】
速度センサに使用するための符号器を製造する方法において、下記工程，即ち，
金属パイプを供給する工程と；
フェライト含有材料を金属パイプ上に押出して符号器パイプを製造する工程と；
符号器パイプを所与の長さに切断して符号器を形成する工程と；
磁界内で符号器を磁化する工程と；
を含むことを特徴とする方法。
【請求項２】
型内で、金属パイプ上に材料を押出すことを特徴とする請求項１の方法。
【請求項３】
金属パイプ上に押出す場合、材料を半溶融状態とすることを特徴とする請求項１の方法。
【請求項４】
ゴム、プラスチックおよびサーモプラスチックのグループの１つから、フェライト含有材料を選択することを特徴とする請求項１の方法。
【請求項５】
金属パイプの供給工程が、金属パイプを形成するための金属の押出工程を含むことを特徴とする請求項１の方法。
【発明の詳細な説明】
【技術分野】
【０００１】
本発明は、速度センサに関し、更に詳細に云えば、速度センサ符号器ホイルおよびその製造法に関する。
【背景技術】
【０００２】
符号器ホイルは、コンポーネントの回転速度を決定する速度センサ装置に使用される。例えば、自動車に使用する場合、符号器ホイルは、概ね、車輪の回転速度を決定するためアンチロックブレーキング系の部分をなす。他の用途の場合、符号器ホイルは、トランスミッション内にあり、エンジンのクランクシャフトに対する継手を含む。
【０００３】
符号器ホイルは、典型的に、磁化されたフェライトを有する外面を含む。フェライトは、磁化されて、符号器ホイルのまわりに交番するＮ極およびＳ極を形成する。符号器ホイルが、回転すると、磁気センサが、交番する極の磁界の変化を測定する。次いで、この交番磁界から、符号器ホイルの回転速度を計算でき、かくして、符号器ホイルに結合されたコンポーネントの回転速度が、知られる。別の方策として、回転速度の検知のため、磁石を使用しないホール効果センサを利用することもできる。
【０００４】
通常の符号器ホイルは、フェライトを充填した圧縮ゴムを注形したプレス加工した鋼パイプから製造される。しかしながら、フェライトを充填したゴムを保持するため、プレス加工した鋼は、フランジまたはゴムを把持する機構を有していなければならない。かくして、符号器ホイルの寸法が増大される。更に、このような機構は、符号器ホイルの製造費を増大し、包装費を増大する。更に、各符号器ホイルは、別個に且つ個々に製造される。かくして、符号器の間に不均一性が誘起される。
【発明の開示】
【発明が解決しようとする課題】
【０００５】
従って、本発明の課題は、上記不備に対処する符号器ホイルおよび製造法を提供することにある。
【課題を解決するための手段】
【０００６】
速度センサに使用する符号器の製造法は、金属パイプを供給する工程を含む。次いで、フェライトを含む材料を金属パイプ上に押出して符号器パイプを製造する。符号器パイプを所与の長さに切断して符号器ホイルを形成する。次いで、磁界内で符号器ホイルを磁化する。
【０００７】
本発明の更なる適用分野は、以下に開示の詳細な説明から明らかであろう。詳細な説明および本発明の好ましい実施例を示す特殊例は、単に、説明のために意図されたものであり、発明範囲の制限を意図するものではない。
【発明を実施するための最良の形態】
【０００８】
本発明は、詳細な説明および添付の図面から、更に十分に理解されよう。
【０００９】
図１を参照して説明する。同図において、本発明の原理にもとづき構成した符号器ホイル１０は、例として、自動車と操作的に組合せた状態に示してある。開示の特殊例において、符号器ホイル１０は、アンチロックブレーキング系１４の部分をなす。アンチロックブレーキング系は、更に、車の制御モジュール１８と通信する磁界センサ１６を含む。符号器ホイル１０は、１対の車輪２２を回転駆動する車軸２０に連結するのが好ましい。図１ａを参照する。同図において、符号器ホイル１０は、その周面のまわりの複数の交番するＮ極およびＳ極を含むよう、磁化されている。車輪および車軸が回転すると、符号器ホイル１０も回転する。磁気センサ１６は、符号器ホイル１０の回転時に、磁界が正負の磁界の間で交番する際に符号器ホイル１０から放射される磁界を検知する。この場合、車の制御モジュール１８は、符号器ホイル１０の回転速度および／または回転位置の決定のため、従って、車軸２０および車輪２２の回転速度および／または回転位置の決定のため、上記情報を利用する。ここで注意するが、符号器ホイル１０は、磁気的速度検知系の部分、例えば、符号器ホイル１０をクランクシャフトまたはカムシャフト（図示してない）に取付けた場合には、エンジン速度検知系の部分であり，かくして、エンジン制御系に利用するため、クランクシャフトまたはカムシャフトの回転速度および／または回転位置を正確に決定できる。
【００１０】
図２を参照して説明する。同図に、相互に同一の複数の符号器ホイル１０を示した。符号器ホイル１０は、符号器パイプ２８の連続的長さから切断する。符号器パイプの製造については、以下に詳細に説明する。符号器１０は、内側パイプ２４と、内側パイプ２４上に押出された外側パイプ２６とを含む。内側パイプ２４が、押出法によって形成された鋼であれば好ましい。しかしながら、内側パイプ２４について、他の各種の金属を使用でき、他の各種の製造法（例えば、プレス加工）を使用できる。
【００１１】
上記の如く、外側パイプ２６は、内側パイプ２４を囲む押出された材料である。外側パイプ２６が、フェライトを充填したゴムであれば好ましいが、フェライトを充填した他の任意の押出可能な材料（例えば、プラスチックまたは熱可塑性材料）を使用することもできる。好ましい実施例の場合、符号器ホイル１０は、４４，４５ｍｍの内径、４０，４５ｍｍの外径および２０ｍｍの幅を有する。しかしながら、ここで注意するが、符号器１０は、発明の範囲から逸脱することなく、実質的に任意の寸法であってよい。
【００１２】
図３を参照して説明する。連続的長さの符号器パイプ２８は、押出法を利用して内側パイプ２４上に形成される。例えば、内側パイプ２４は、前もって製造して、型３０内に導入する。型３０は、内側パイプ２４を囲み、型キャビティ３２を形成する。型キャビティ３２自体は、外側パイプ２６（図２）の外表面を形成する。型３０は、押出装置３４に連結されている。
【００１３】
押出装置３４は、発明の範囲から逸脱することなく、任意の形状を取り得る。更に、型３０とともに複数の押出装置３４を使用できる（例えば、型３０のまわりに１２０度の間隔を置いて押出装置３４を配置する）。提示の特殊例の場合、プラスチック顆粒とフェライトとの混合物３６をホッパ３８に導入する。ホッパ３８は、プラスチック顆粒およびフェライト３６をシリンダ４０内に供給する。シリンダ４０は、シリンダ４０を囲む加熱部材４２によって高温に加熱される。スクリュ機構４４が、シリンダ４０内に設置されており、モータ（図示してない）によって回転駆動される。
【００１４】
プラスチック顆粒３６は、シリンダ４０内に入ると、加熱部材４２によって加熱され、概ね符号４６で示した半溶融／溶融プラスチックとなる。スクリュ機構４４は、回転時、半溶融プラスチック・フェライト混合物４６を型３０内に押込み、かくして、内側パイプ２４を囲む型キャビティ３２に充填される。次いで、半溶融／溶融プラスチック・フェライト混合物４６は、冷却され、外側パイプ２６（図２）を形成する。次いで、型３０を開き、連続的な符号器パイプ２８を型から取出す。別の方策として、型３０を開かずに連続操作で内側パイプ２４を型３０を介して供給できる。符号器パイプ２８が形成されたならば、所望の幅の任意の数の符号器１０を符号器パイプ２８から切断する。交番極（図１ａ参照）を形成するための外側パイプ２６内のフェライトの磁化操作は、符号器ホイル１０を形成するための符号器パイプ２８の切断前または切断後に行うことができる。外側パイプ２６内のフェライトは、好ましくは、幅同一の３２の極対を含むよう、磁化する。尤も、任意の対称の幅を含む任意の数の極対を利用できる。
【００１５】
内側パイプ２４上に外側パイプ２６を押出すことによって、符号器ホイル１０は、駆動シャフトを含む小さいスペース内に符号器１０をはめ込み得る低いプロフィルに（即ち、フランジまたは隆起なしに）完成される。更に、内側パイプ２４上に外側パイプ２６を押出すことによって、単一の符号器パイプ２８から多数の符号器１０を切出すことができ、
かくして、製造費が節減され、符号器１０の間の均一性が増大される。
【００１６】
本発明の説明は、実際、単なる例であり、従って、本発明の骨子から出ることのない変更は、本発明の枠内にあると云える。このような変更は、本発明の意図および範囲からの逸脱とはみなされない。
【図面の簡単な説明】
【００１７】
【図１】本発明の原理にもとづき構成された符号器を有する、例としての自動車の略図である。図１ａは、符号器ホイルの磁化を示す符号器ホイルの部分の略拡大図である。
【図２】符号器パイプからの本発明の符号器ホイルの切断を示す斜視図である。
【図３】本発明の符号器パイプを構成するための、例としての押出装置の略図である。
【符号の説明】
【００１８】
１０    符号器ホイル
２４    内側パイプ
２６    外側パイプ
３０    型
３２    型キャビティ
３４    押出装置
３６    プラスチック顆粒・フェライト混合物
４０    シリンダ
４２    加熱部材
４４    スクリュ機構
４６    半溶融／溶融プラスチック・フェライト
【図１】
2006017709.tif 000003
【図２】
2006017709.tif 000004
【図３】
2006017709.tif 000005
【外国語明細書】
2006017709.tif 000006
2006017709.tif 000007
2006017709.tif 000008
2006017709.tif 000009
2006017709.tif 000010
2006017709.tif 000011
2006017709.tif 000012
2006017709.tif 000013
2006017709.tif 000014
2006017709.tif 000015
2006017709.tif 000016